(57)【要約】【課題】簡単な作業により効率よく鉄筋コンクリート基礎スラブの配筋を行うことのできる配筋構造を提供すること。【解決手段】基礎スラブの配筋を、第１スラブ筋４１を第１止め筋４２によって一定の間隔に保持した第１スラブ筋ユニット４と、第１スラブ筋４１に直交する第２スラブ筋５１を第２止め筋５２によって一定の間隔に保持した第２スラブ筋ユニット５と、各スラブ筋ユニット４、５の端部を基礎梁部分に定着させるためのスラブ筋定着部ユニット６を用いて行う。スラブ筋定着部ユニット６は、折り曲げ筋６１を第３止め筋６２によって一定の間隔に保持したユニットである。鉄筋ユニットを用いて実用性の高い基礎スラブの配筋作業を実現できる。【選択図】図１
2018178540.tif 000002
【特許請求の範囲】
【請求項１】
基礎スラブ打設部分に格子状にスラブ筋が配列され、前記スラブ筋の端部が所定の定着長さで基礎梁打設部分に差し込まれている鉄筋コンクリート造基礎スラブの配筋構造であって、
第１スラブ筋ユニットと、
前記第１スラブ筋ユニットと一体に構成され、あるいは、前記第１スラブ筋ユニットとは別個に構成された第２スラブ筋ユニットと、
前記第１、第２スラブ筋ユニットの基礎梁側コンクリートへの定着長さを確保するためのスラブ筋定着部ユニットと
を有しており、
前記第１スラブ筋ユニットは、同一平面上において所定の間隔で平行に配列した複数本の第１スラブ筋と、当該第１スラブ筋に交差する方向に配列され当該第１スラブ筋のそれぞれに溶接されている１本あるいは複数本の第１止め筋とを備え、
前記第２スラブ筋ユニットは、同一平面上において所定の間隔で平行に配列された複数本の第２スラブ筋と、当該第２スラブ筋に交差する方向に配列され当該第２スラブ筋のそれぞれに溶接されている１本あるいは複数本の第２止め筋とを備え、
前記スラブ筋定着部ユニットは、所定の間隔で平行に配列した複数本の折り曲げ筋と、当該折り曲げ筋に交差する方向に配列され当該折り曲げ筋に溶接されている１本あるいは複数本の第３止め筋とを備え、
前記第１、第２スラブ筋ユニットは、前記第１、第２スラブ筋が直交するように、相互に重ね合わされており、
前記スラブ筋定着部ユニットは、前記第１スラブ筋ユニットあるいは前記第２スラブ筋ユニットの端部において、その長さ方向に配列されて、各折り曲げ筋の一方の折り曲げ筋部分と前記第１あるいは第２スラブ筋の端部との間に所定長さの重ね継手が形成され、他方の折り曲げ部分が前記基礎梁打設部分内に位置しており、
前記第１、第２スラブ筋の交差部分のそれぞれは、相互に固定されており、
前記折り曲げ筋と前記第１あるいは第２スラブ筋との間の重ね継手の部分は、それぞれ、相互に固定されていることを特徴とする鉄筋コンクリート造基礎スラブの配筋構造。
【請求項２】
請求項１において、
複数枚の前記第１スラブ筋ユニットが、前記第１スラブ筋の長さ方向に配列されており、
隣接する前記第１スラブ筋ユニットの前記第１スラブ筋の端部は、相互に重ね合わされて所定長さの重ね継手を形成しており、
前記重ね継手の位置、あるいは、前記重ね継手の両側に、前記第１止め筋が位置している鉄筋コンクリート造基礎スラブの配筋構造。
【請求項３】
請求項１において、
複数枚の前記第２スラブ筋ユニットが、前記第２スラブ筋の長さ方向に配列されており、
隣接する前記第２スラブ筋ユニットの前記第２スラブ筋の端部は、相互に重ね合わされて所定長さの重ね継手を形成しており、
前記重ね継手の位置、あるいは、前記重ね継手の両側に、前記第２止め筋が位置している鉄筋コンクリート造基礎スラブの配筋構造。
【請求項４】
請求項１において、
複数枚の前記第１スラブ筋ユニットが、前記第１スラブ筋の長さ方向に直交する方向に配列されており、
隣接する前記第１スラブ筋ユニットの前記第１止め筋の端部の間は、添え筋によって相互に繋げられている鉄筋コンクリート造基礎スラブの配筋構造。
【請求項５】
請求項１において、
複数枚の前記第２スラブ筋ユニットが、前記第２スラブ筋の長さ方向に直交する方向に配列されており、
隣接する前記第２スラブ筋ユニットの前記第２止め筋の端部の間は、添え筋によって相互に繋げられている鉄筋コンクリート造基礎スラブの配筋構造。
【請求項６】
請求項１において、
前記第１スラブ筋ユニットの端部には、前記第１スラブ筋に連続して前記折り曲げ筋が形成されて、前記スラブ筋定着部ユニットが一体構成されているか、または、
前記第１スラブ筋ユニットの端部において、前記第１止め筋から突出している前記第１スラブ筋の突出部分が、前記スラブ筋定着部ユニットの前記折り曲げ筋に重ね合わされて重ね継手を形成している鉄筋コンクリート造基礎スラブの配筋構造。
【請求項７】
請求項１において、
前記第２スラブ筋ユニットの端部において前記第２止め筋から突出している前記第２スラブ筋の突出部分が、前記スラブ筋定着部ユニットの前記折り曲げ筋に重ね合わされて重ね継手を形成している鉄筋コンクリート造基礎スラブの配筋構造。
【請求項８】
請求項１において、
前記第１スラブ筋ユニットでは、前記第１スラブ筋に対して同一の側に前記第１止め筋が溶接されており、
前記第２スラブ筋ユニットでは、前記第２スラブ筋に対して同一の側に前記第２止め筋が溶接されており、
前記第１スラブ筋と前記第２スラブ筋の間に、前記第１止め筋および前記第２止め筋が位置し、これら第１、第２止め筋が相互に交差しないように、前記第１スラブ筋ユニットと前記第２スラブ筋ユニットが相互に重ねられている鉄筋コンクリート造基礎スラブの配筋構造。
【請求項９】
請求項１において、
前記第１スラブ筋ユニット、前記第２スラブ筋ユニット、および、前記スラブ筋定着部ユニットは、工場生産されたユニットである鉄筋コンクリート造基礎スラブの配筋構造。
【請求項１０】
請求項１乃至９のうちのいずれか一つの項に記載の鉄筋コンクリート造基礎スラブの配筋構造に用いる基礎スラブ配筋用鉄筋ユニットのセットであって、
第１スラブ筋ユニットと、
前記第１スラブ筋ユニットと一体に構成され、あるいは、前記第１スラブ筋ユニットとは別個に構成された第２スラブ筋ユニットと、
前記第１、第２スラブ筋ユニットの基礎梁側コンクリートへの定着長さを確保するためのスラブ筋定着部ユニットと
を有しており、
前記第１スラブ筋ユニットは、同一平面上において所定の間隔で平行に配列した複数本の第１スラブ筋と、当該第１スラブ筋に交差する方向に配列され当該第１スラブ筋のそれぞれに溶接されている少なくとも１本の第１止め筋とを備え、
前記第２スラブ筋ユニットは、同一平面上において所定の間隔で平行に配列された複数本の第２スラブ筋と、当該第２スラブ筋に交差する方向に配列され当該第２スラブ筋のそれぞれに溶接されている少なくとも１本の第２止め筋とを備え、
前記スラブ筋定着部ユニットは、所定の間隔で平行に配列した複数本の折り曲げ筋と、当該折り曲げ筋に交差する方向に配列され当該折り曲げ筋に溶接されている少なくとも１本の第３止め筋とを備えていることを特徴とする基礎スラブ配筋用鉄筋ユニットのセット。
【発明の詳細な説明】
【技術分野】
【０００１】
本発明は、基礎スラブ配筋用の鉄筋ユニットを用いて施工される住宅などの鉄筋コンクリート造基礎スラブの配筋構造に関する。
【背景技術】
【０００２】
鉄筋コンクリート造基礎スラブにおいては、基礎スラブ打設場所において、スラブ筋を短辺方向および長辺方向に一定間隔に配置し、それらの交差部分を結束線によって結束して、格子状のスラブ配筋構造を構築している。特許文献１、２にはスラブ筋の配筋構造が提案されている。
【０００３】
特許文献１では、スラブ筋の配筋作業を簡単に行うために、一定間隔で溝が付いているスラブ筋保持体を四隅に配置し、スラブ筋保持体の溝にスラブ筋を配置することで、格子状に縦横のスラブ筋を配置している。特許文献２では、可撓性のある帯状の鉄筋保持材に一定間隔で孔を形成し、これらの孔に所定長さの鉄筋（スラブ筋）を通して、すだれ状の鉄筋ユニットを作製している。
【先行技術文献】
【特許文献】
【０００４】
【特許文献１】特開２００７−３２７１９３号公報
【特許文献２】特開平６−５７８８２号公報
【発明の概要】
【発明が解決しようとする課題】
【０００５】
特許文献１に記載の配筋方法では、スラブ筋保持体を別途、制作して現場に設置しなければならない。特許文献２の配筋方法においても特殊な構造の鉄筋保持材を製作し、鉄筋保持材の各孔にスラブ筋を挿入する必要があるので、すだれ状の鉄筋ユニットは実用性に乏しい。また、これらの文献では、スラブ筋端部の基礎梁側への定着部分についての配筋構造、配筋作業の効率化については着目されていない。
【０００６】
本発明の目的は、特殊な部材を用いることなく、現場状況に応じて、簡単かつ効率よくスラブ筋の配筋作業を行うことのできる鉄筋コンクリート造基礎スラブの配筋構造、および、この配筋構造に用いる鉄筋ユニットのセットを提供することにある。
【課題を解決するための手段】
【０００７】
本発明の鉄筋コンクリート造基礎スラブの配筋構造は、第１スラブ筋ユニットと、第２スラブ筋ユニットと、第１、第２スラブ筋ユニットの基礎梁側コンクリートへの定着長さを確保するためのスラブ筋定着部ユニットとから構成される。
【０００８】
第１スラブ筋ユニットは、同一平面上において所定の間隔で平行に配列した複数本の第１スラブ筋と、当該第１スラブ筋に交差する方向に配列され当該第１スラブ筋のそれぞれに溶接されている１本あるいは複数本の第１止め筋とを備えている。同様に、第２スラブ筋ユニットは、同一平面上において所定の間隔で平行に配列された複数本の第２スラブ筋と、当該第２スラブ筋に交差する方向に配列され当該第２スラブ筋のそれぞれに溶接されている１本あるいは複数本の第２止め筋とを備えている。スラブ筋定着部ユニットは、所定の間隔で平行に配列した複数本の折り曲げ筋と、当該折り曲げ筋に交差する方向に配列され当該折り曲げ筋に溶接されている１本あるいは複数本の第３止め筋とを備えている。
【０００９】
第１、第２スラブ筋ユニットは、第１、第２スラブ筋が直交するように、相互に重ねた状態に配置される。スラブ筋定着部ユニットは、第１スラブ筋ユニットあるいは第２スラブ筋ユニットの端部において、その長さ方向に配列されて、各折り曲げ筋の一方の折り曲げ筋部分と第１あるいは第２スラブ筋の端部との間に所定長さの重ね継手が形成され、他方の折り曲げ部分が基礎梁打設部分内に位置する。そして、第１、第２スラブ筋の交差部分は、それぞれ、結束筋などによって固定されており、折り曲げ筋と第１あるいは第２スラブ筋との間の重ね継手の部分は、それぞれ、結束筋などによって固定されている。
【００１０】
一般に、品質のばらつきを無くし、現場での作業工程を減らすために、第１スラブ筋ユニット、第２スラブ筋ユニットおよびスラブ筋定着部ユニットは工場生産されて、施工現場に搬入される。トラックによる搬送を考慮すると、これらの鉄筋ユニットの寸法は、トラック荷台寸法による制約を受け、鉄筋ユニット幅は２ｍ程度に制限される。施工現場におけるスラブ筋の設置面積が広い場合には、複数枚の第１スラブ筋ユニットおよび複数枚の第２スラブ筋ユニットが割り付けられ、隣接する第１スラブ筋ユニットの間、および、隣接する第２スラブ筋ユニットの間には、重ね継手が形成される。
【００１１】
この場合、隣接する第１スラブ筋ユニットの間の重ね継手の位置、あるいは、重ね継手の両側に、第１止め筋を位置させることができる。例えば、一方の第１スラブ筋ユニットの端部における止め筋から突出している第１スラブ筋の端部分と、他方の第１スラブ筋ユニットの端部における止め筋から突出している第１スラブ筋の端部分とを、相互に重ねて重ね継手とする。
【００１２】
このようにすれば、２枚の鉄筋ユニット（第１スラブ筋ユニット同士あるいは第２スラブ筋ユニット同士）の重ね継手の部分では、ここに充填されるコンクリートが、止め筋の間に拘束された状態になる。止め筋の耐力を利用することにより、重ね継手長さを短くすることが可能である。
【００１３】
勿論、止め筋の位置に関係なく、隣接する第１スラブ筋ユニットの端部同士の間、隣接する第２スラブ筋ユニットの端部同士の間に、必要長さの重ね継手を形成してもよい。
【００１４】
次に、第１止め筋によって一定間隔に固定された第１スラブ筋ユニットと、第２止め筋によって一定間隔に固定された第２スラブ筋ユニットとを重ね合わせた状態において、重なり厚さが厚くならないことが望ましい。このためには、第１スラブ筋ユニットでは、第１スラブ筋に対して同一の側に第１止め筋を溶接しておく。第２スラブ筋ユニットでは、第２スラブ筋に対して同一の側に第２止め筋を溶接しておく。そして、第１スラブ筋と第２スラブ筋の間に第１止め筋および第２止め筋が位置し、第１、第２スラブ筋に第１、第２止め筋が交差あるいは重ならないように、第１スラブ筋ユニットと第２スラブ筋ユニットを相互に重ねる。
【００１５】
これにより、第１、第２スラブ筋ユニットの重ね合わせ厚さは、第１スラブ筋の直径と第２スラブ筋の直径との合計寸法に抑えることができる。すなわち、第１、第２止め筋は、第１、第２スラブ筋と同一径あるいは小径の鉄筋を用いることができる。第１、第２スラブ筋の重ね合わせ厚さ寸法内に、第１、第２止め筋が納まるので、重なり厚さの増加を抑制できる。
【００１６】
次に、本発明は、上記構成の鉄筋コンクリート造基礎スラブの配筋構造に用いる基礎スラブ配筋用鉄筋ユニットのセットであって、
第１スラブ筋ユニットと、
第２スラブ筋ユニットと、
第１、第２スラブ筋ユニットの基礎梁側コンクリートへの定着長さを確保するためのスラブ筋定着部ユニットと
を有しており、
第１スラブ筋ユニットは、同一平面上において所定の間隔で平行に配列した複数本の第１スラブ筋と、当該第１スラブ筋に交差する方向に配列され当該第１スラブ筋のそれぞれに溶接されている少なくとも１本の第１止め筋とを備え、
第２スラブ筋ユニットは、同一平面上において所定の間隔で平行に配列された複数本の第２スラブ筋と、当該第２スラブ筋に交差する方向に配列され当該第２スラブ筋のそれぞれに溶接されている少なくとも１本の第２止め筋とを備え、
スラブ筋定着部ユニットは、所定の間隔で平行に配列した複数本の折り曲げ筋と、当該折り曲げ筋に交差する方向に配列され当該折り曲げ筋に溶接されている少なくとも１本の第３止め筋とを備えている。
【００１７】
これら３種類の鉄筋ユニットを施工現場に搬入して配置することにより、基礎スラブの配筋作業の労力を削減でき、また、経験の浅い鉄筋工でも品質にバラツキのない配筋を行うことができる。
【図面の簡単な説明】
【００１８】
【図１】本発明を適用したスラブ筋の配筋構造を備えた鉄筋コンクリート造基礎およびスラブ筋定着部ユニットを示す説明図である。
【図２】第１スラブ筋ユニット、第２スラブ筋ユニットおよびスラブ筋定着部ユニットの一例を示す説明図である。
【図３】第２スラブ筋の間の重ね継手を示す説明である。
【図４】第２スラブ筋ユニットの第２止め筋を添え筋によって繋げた状態の説明図である。
【発明を実施するための形態】
【００１９】
以下に、図面を参照して、本発明を適用した鉄筋コンクリート造基礎スラブの配筋構造の実施の形態を説明する。
【００２０】
図１（Ａ）は鉄筋コンクリート造基礎スラブの配筋構造の一例を示す説明図であり、図１（Ｂ）は、スラブ筋定着部ユニットを示す説明図である。図２（Ａ）は図１の第１スラブ筋ユニットを示す説明図であり、図２（Ｂ）は第２スラブ筋ユニットを示す説明図であり、図２（Ｃ）はスラブ筋定着部ユニットを示す説明図である。また、図２（Ｄ）、（Ｅ）は、第１、第２スラブ筋ユニットの重なり状態を示す説明図である。
【００２１】
鉄筋コンクリート造基礎１は、基礎スラブ（耐圧版）２と、基礎スラブ２の周囲に配置された布基礎３とを備えている。鉄筋コンクリート造基礎１の配筋構造は、基礎スラブ２に配置された１枚あるいは複数枚の第１スラブ筋ユニット４および１枚あるいは複数枚の第２スラブ筋ユニット５と、基礎スラブ２と布基礎３の立ち上がり部分の間に配置された１枚あるいは複数枚のスラブ筋定着部ユニット６とから構成されている。布基礎３の配筋は、例えば、上下１本ずつの梁主筋３１、３２と、これらの長さ方向に沿って一定の間隔で、これらに溶接されたあばら筋３３とから構成されるシングル配筋とされている。
【００２２】
第１スラブ筋ユニット４は、図２（Ａ）に実線で示すように、長方形の平板状のユニットであり、同一平面上において一定の間隔で平行に配列された複数本の第１スラブ筋４１から構成されている。例えば、２５０ｍｍピッチで、７本の異形棒鋼（例えば、Ｄ１３）が配列されている。これら第１スラブ筋４１は、これらに交差する方向に配列した少なくとも１本の第１止め筋４２に対して、各交差位置において溶接によって固定されている。第１止め筋４２は、例えば、第１スラブ筋ユニット４の幅と同一の長さの異形棒鋼（例えばＤ１３など）であり、第１スラブ筋４１に直交する方向に配列されている。本例では、第１スラブ筋４１の長さ方向における中央位置と、両端側の位置に、合計３本の第１止め筋４２が配置されている。第１止め筋４２のそれぞれは、第１スラブ筋４１の同一側、本例では、下側に配置されている。
【００２３】
第２スラブ筋ユニット５は、図２（Ｂ）に実線で示すように、ほぼ正方形の平板状のユニットであり、同一平面上において一定の間隔で平行に配列された複数本の第２スラブ筋５１から構成されている。例えば、２５０ｍｍピッチで、８本の異形棒鋼（例えば、Ｄ１３）が配列されている。これら第２スラブ筋５１は、これらに交差する方向に配列した少なくとも１本の第２止め筋５２に対して、各交差位置において溶接によって固定されている。第２止め筋５２は、例えば、第２スラブ筋ユニット５の幅と同一の長さの異形棒鋼（例えば、Ｄ１３など）であり、第２スラブ筋５１に直交する方向に配列されている。第２止め筋５２は、第２スラブ筋５１の長さ方向における中央部分に２本、両端部分にそれぞれ１本ずつの、合計４本配置されている。
【００２４】
例えば、図２（Ａ）に一点鎖線で示すように、基礎スラブ打設部分１０の広さが、第１スラブ筋ユニット４の１枚分に相当する場合には、図２（Ｂ）に示すように、２枚の第２スラブ筋ユニット５が一定の間隔で配置される。第１スラブ筋ユニット４は、第１スラブ筋４１の下側に第１止め筋４２が位置するように配置される。第２スラブ筋ユニット５は、第１スラブ筋ユニット４に対して、上側から重ねた状態に配置される。この場合には、第２スラブ筋ユニット５は、第２止め筋５２のそれぞれが第２スラブ筋５１の下側に位置する向きに、配置される。
【００２５】
この結果、図２（Ｄ）、（Ｅ）に示すように、第１スラブ筋ユニット４の第１スラブ筋４１（配力筋）と同一高さ位置において、第１スラブ筋４１の間に第２スラブ筋ユニット５の第２止め筋５２が位置し、これらの下側には直交方向に延びる第１止め筋４２が位置し、これら第１スラブ筋４１および第２止め筋５２の上側には、直交方向に延びる第２スラブ筋５１（主筋）が位置する。すなわち、鉄筋が上下に三段に組まれた配筋状態が形成される。
【００２６】
ここで、第１、第２スラブ筋ユニット４、５を、相互に位置決めして、第１、第２スラブ筋４１、５１が直交する状態に重ねた状態において、第１止め筋４２が第２スラブ筋５１に重ならないように、第１止め筋４２の配列位置が設定されている。同様に、第２止め筋５２が第１スラブ筋４１に重ならないように、第２止め筋５２の配列位置が設定されている。
【００２７】
なお、第１止め筋４２を第２スラブ筋ユニット５の第２スラブ筋５１の一つとして（すなわち、実配筋として）用いることができる。この場合には、第１止め筋４２の位置を考慮して第２スラブ筋５１の割り付けが行われる。同様に、第２止め筋５２を第１スラブ筋ユニット４の第１スラブ筋４１の一つとして用いることができる。この場合においても、第２止め筋５２の位置を考慮して第１スラブ筋４１の割り付けが行われる。
【００２８】
次に、図１（Ｂ）、図２（Ｃ）を参照して、スラブ筋定着部ユニット６を説明する。スラブ筋定着部ユニット６は、一定の間隔で平行に配列した複数本の折り曲げ筋６１から構成されている。折り曲げ筋６１は、例えば、２５０ｍｍピッチで、７本の異形棒鋼（例えば、Ｄ１３）である。折り曲げ筋６１は、本例では、直角に折り曲げられており、水平筋部分６１ａと、立ち上げ筋部分６１ｂとを備えている。これら折り曲げ筋６１は、これらに交差する方向に配列した１本あるいは複数本の第３止め筋６２に対して、各交差位置において溶接によって固定されている。
【００２９】
第３止め筋６２は、例えば、スラブ筋定着部ユニット６の長辺方向の幅と同一の長さの異形棒鋼（例えばＤ１３）であり、折り曲げ筋６１に直交する方向に配列されている。第３止め筋６２は、折り曲げ筋６１の水平筋部分６１ａの側に１本配列され、立ち上げ筋部分６１ｂの側に２本配列されている。また、第３止め筋６２は、折り曲げ筋６１の水平筋部分６１ａの上側に配置され、立ち上げ筋部分６１ｂの内側に配置されている。第３止め筋６２も、上記の第１、第２止め筋４２、５２と同様に、実配筋（スラブ筋）として用いることができる。
【００３０】
図１（Ａ）、図２（Ａ）に示すように、スラブ筋定着部ユニット６は、第１スラブ筋ユニット４の端部と布基礎３の配筋部分との間に配置される。スラブ筋定着部ユニット６の折り曲げ筋６１の水平筋部分６１ａは、第１スラブ筋ユニット４の第１スラブ筋４１の端部の側方に沿って配置され、これらの間に、所定長さの重ね継手１１が形成される。また、スラブ筋定着部ユニット６の第３止め筋６２が、第２スラブ筋ユニット５の端に位置する第２スラブ筋５１に重ならない位置となるように設定される。
【００３１】
この構成の基礎スラブの配筋構造は次のように施工される。基礎スラブ打設部分に、第１スラブ筋ユニット４を、必要枚数だけ敷く。その上に、第１スラブ筋４１に第２スラブ筋５１が直交する向きに、必要枚数分の第２スラブ筋ユニット５を敷く。直交する第１、第２スラブ筋４１、５１の交差部分を、結束筋などによって、固定する。
【００３２】
一方、基礎スラブの外周部分には、スラブ筋定着部ユニット６を配置する。スラブ筋定着部ユニット６の折り曲げ筋６１の水平筋部分６１ａと、例えば、第１スラブ筋ユニット４の第１スラブ筋４１の端部との間に形成した重ね継手の部分を、結束筋などによって固定する。また、折り曲げ筋６１の立ち上げ筋部分６１ｂを下側の梁主筋あるいはあばら筋に、結束筋などによって固定する。
【００３３】
第１、第２、第３止め筋４２、５２、６２は、第１、第２スラブ筋４１、５１と同一径あるいは小径の鉄筋が用いられ、第１、第２スラブ筋４１、５１に重ならない位置に配置される。よって、第１、第２スラブ筋ユニット４、５およびスラブ筋定着部ユニット６を配置した状態において、基礎スラブ配筋部分の厚さは、第１スラブ筋４１の直径と第２スラブ筋５１の直径との合計寸法となる。第１、第２スラブ筋の重ね合わせ厚さ寸法内に、第１、第２止め筋が納まるので、重なり厚さの増加を抑制できる。
【００３４】
次に、複数枚の第１スラブ筋ユニット４をその長さ方向に配列する場合、あるいは、複数枚の第２スラブ筋ユニット５をその長さ方向に配列する場合について説明する。一般に、品質のばらつきを無くし、現場での作業工程を減らすために、第１スラブ筋ユニット４、第２スラブ筋ユニット５およびスラブ筋定着部ユニット６は工場生産されて、施工現場に搬入される。ここで、第１スラブ筋ユニット４と第２スラブ筋ユニット５を、工場生産によって、一体化されたスラブ筋ユニットとして製作して現場に搬入することもできる。
【００３５】
トラックによる搬送を考慮すると、ユニットの寸法は、トラック荷台寸法による制約を受け、ユニット幅は、例えば、２ｍ程度に制限される。施工現場におけるスラブ筋の設置面積が広い場合には、設置場所に、複数枚の第１スラブ筋ユニット４および複数枚の第２スラブ筋ユニット５が割り付けられる。この場合、隣接する第１スラブ筋ユニット４の間、および、隣接する第２スラブ筋ユニット５の間には、重ね継手が形成される。
【００３６】
図３は隣接する第２スラブ筋ユニット５の間の重ね継手を示す説明図である。この図に示すように、一方の第２スラブ筋ユニット５の端部には、第２止め筋５２から、第２スラブ筋５１の端部５１ａが突出している。同様に、他方の第２スラブ筋ユニット５の端部においても、第２止め筋５２から、第２スラブ筋５１の端部５１ａが突出している。
【００３７】
これらの第２スラブ筋５１の端部５１ａ同志が、横方から重ね合わされて、重ね継手５３が形成される。２枚の第２スラブ筋ユニット５同士の重ね継手５３の部分では、ここに充填されるコンクリートが、重ね継手５３の両側に位置する第２止め筋５２の間に拘束された状態になる。第２止め筋５２の耐力を利用することにより、重ね継手５３の長さを短くすることが可能である。他方の第１スラブ筋ユニット４同士の間の重ね継手についても同様である。
【００３８】
なお、第１、第２、第３止め筋４２、５２、６２は、それぞれ、第１スラブ筋４１、第２スラブ筋５１および折り曲げ筋６１のそれぞれを一定のピッチで配列した状態に保持する仮止め用の部材として用いている。先に述べたように、これらの仮止め用の部材を、スラブ配筋用の構造材として用いることも可能である。
【００３９】
例えば、図４（Ａ）、（Ｂ）に示すように、隣接配置されている第２スラブ筋ユニット５において、対応する位置に配置されている第２止め筋５２の間に、添え筋１２を配置して、相互に繋ぐ。これにより、第２止め筋５２のそれぞれを、構造材、すなわち、第１スラブ筋４１として機能させることができる。他方の第１止め筋４２のそれぞれも同様に、第２スラブ筋５１として機能させることができる。
【符号の説明】
【００４０】
１    鉄筋コンクリート造基礎
２    基礎スラブ
３    布基礎
４    第１スラブ筋ユニット
５    第２スラブ筋ユニット
６    スラブ筋定着部ユニット
１０  基礎スラブ打設部分
１１  継手
１２  添え筋
３１  梁主筋
３２  梁主筋
３３  あばら筋
４１  第１スラブ筋
４２  第１止め筋
５１  第２スラブ筋
５１ａ  端部
５２  第２止め筋
５３  継手
６１  折り曲げ筋
６１ａ  水平筋部分
６１ｂ  立ち上げ筋部分
６２  第３止め筋
【図１】
2018178540.tif 000003
【図２】
2018178540.tif 000004
【図３】
2018178540.tif 000005
【図４】
2018178540.tif 000006